(57)【要約】【課題】従来の泡立て器は泡を溜める機能、衛生面で課題が有り、また球部材と仕切りを使った上下に分割する泡立て器は、上部に泡が残り、出来た泡を有効に使えなかった。【解決手段】  塊状の球部材を内在する縦方向に分断する仮想線上に沿わせて左右の半殻状部材に分割できる筒状容器内に、前記の容器を閉じて使用する時、該容器内を洗剤と液体が移動でき且つ該球部材を内包する部分と内包しない部分とに分ける半球形の剛性を有する網状の仕切り部材を該容器の片側容器内に、該容器を閉じた時に該両容器間を全域に亘って横断する様に脱着できる構造で取り付ける。使用時に左右に分割して使用する事で両方の容器に溜まった泡を有効に使う事ができる。【選択図】図１
2006346351.tif 000002
【特許請求の範囲】
【請求項１】
転動可能な塊状の球部材を内在する筒状容器を縦方向に分断する仮想線上に沿わせて左右の半殻状部材に分割し、該左右の半殻状部材を横方向に開閉若しくは分離する構成の容器に於いて、該左右の半殻状部材を閉じた時、前記球部材が留まる部分と球部材が移動できない部分とに分けるために、内在する球部材の直径より小さな孔隙又は該球部材の直径よりも小さな間隙のある仕切り部材を、左右の半殻状部材を全域に亘って横断する様に構成した事を特徴とする石鹸泡立て器。
【請求項２】
容器内の仕切り部材が椀状の半球形に突出形成され、液体や石鹸剤が透過できて、球部材が透過できない、球部材の直径より狭い間隙があり、半球形の突出端部が閉じている又は内在する球部材の直径よりも小さい直径の孔隙のある半球形の仕切り部材である事を特徴とする請求項１に記載の石鹸泡立て器。
【請求項３】
容器内の仕切り部材が初期形状を維持する剛性の網状体で構成されている事を特徴とする請求項1又は２に記載の石鹸泡立て器。
【請求項４】
仕切り部材が左右の半殻状部材より脱着できる事を特徴とする請求項１又は２又は３に記載の石鹸泡立て器。
【請求項５】
容器の外形状を中央部がくびれた細部を有する形状に構成し、両端部を椀状に形成したことを特徴とする請求項1又は２に記載の石鹸泡立て器。
【発明の詳細な説明】
【技術分野】
【０００１】
本発明は液体石鹸や固形石鹸などの石鹸剤を使用して、洗顔時や髭剃り時に使用する細
かな泡を作り、使用しやすくするための石鹸泡立て器に関するものである        
【背景技術】
【０００２】
従来洗顔等に石鹸を使用する場合泡を作るのにネットやブラシなどを使って石鹸から泡
を作って使用していた。
【０００３】
従来の技術について説明する。繊維ネットを揉みこんで石鹸から泡をつくる方法（たと
えば特許文献２参照）。また、合成樹脂のブラシで石鹸から泡をつくる方法（たとえば特許
文献１参照）また、ボールの回転と半球形のネットで石鹸から泡をつくる方法（たとえば
特許文献３参照）がある
【０００４】
以下図で示して説明する。図９は特許文献２から引用した図で繊維ネットを揉みこんで
石鹸から泡を立てるものであり、図８は特許文献１から引用した図で合成樹脂のブラシを
束ねた物を用いて石鹸の泡をたてるものである。
【０００５】
図７は特許文献３から引用した図で上下に分かれる容器内をボールがネットの仕切り部
材上を運動し泡を作り下部容器に泡を溜めるものである
【特許文献１】特許第３２１８３３９号公報
【特許文献２】特許第３５３２４７９号公報
【特許文献３】特開２００５−８７４７８号公報
【発明の開示】
【発明が解決しようとする課題】
【０００６】
特許文献１や２のように石鹸，洗剤等からあわを立てて使用する際には繊維ネットやブ
ラシなどを用いていた。そのため使用後に乾燥がしづらく雑菌等が繁殖しやすいという問
題があった。また泡を溜めることが難しく洗顔時に泡が流れやすいという問題があった。
【０００７】
特許文献３は上記の問題を解決する為に本出願人が発明したものであり、良好な泡が立
てやすく使用後の乾燥も良いとの評判を得ているが、上下に開閉又は分離する構造のため
泡溜め部分が深くなり泡を掬いづらいという現象があり、また上部容器内に溜まった泡を
有効に使えないという課題があった。
【０００８】
本発明は、このような問題を解決し、石鹸や洗顔料から泡を立てる事を目的とするもの
である。
【課題を解決するための手段】
【０００９】
本発明は上記課題を解決するために、塊状の球部材を内在する左右の半殻状部材に分割
できる容器内に、該左右の半殻容器を閉じた時、該容器内を洗剤と液体が移動でき且つ該
球部材を内包する部分と内包しない部分とに分ける半球形の剛性を有する網状の仕切り部
材を該容器の片側容器内に、該容器を閉じた時に閉じた該容器間を全域に亘って横断する
様に脱着できる構造で取り付ける。該容器内に洗剤と少量のお湯又は水を入れて、容器を
閉めて振る事で作られた泡は、該球部材の移動できない部分に多く溜まりこの部分が使用
する時に泡溜めとなる。また容器両端を椀状にすることで溜まった泡を掬い易くすること
ができる。
【００１０】
本発明の石鹸泡立て器を使用する際、容器や掌に石鹸や水等が付いて使用時に滑り易く
なる。それを解決するために容器中央部をくびれた構造としている。
【発明の効果】
【００１１】
本発明の容器は細かな繊維を使わない為、使用後の洗浄が容易である。また簡単に分解
する事が出来る為乾燥しやすく、衛生的である。
【００１２】
球部材を内包する容器内と網状仕切り上を該球部材が回転しながら運動する事で容器内
の石鹸や洗剤を攪拌し泡立てる為微細な泡が均一にできる。
【００１３】
特許文献３の容器の様に上下に分離する構造と違い、本発明の容器は左右に開閉又は分
離する為、泡を立てた後、該容器を左右に開いた時に容器の深さを浅くする事ができ、且
つ両方の容器に泡が溜まる為掬い取る事が容易である。また開いた時、球部材と仕切り部
材が有る部分も出現する為仕切り部材と球部材に溜まった泡も取り出せるので容器内の泡
を無駄無く使用できる。
【発明を実施するための最良の形態】
【００１４】
以下、本発明に係る石鹸泡立て器の実施形態を図１〜３に示す具体例を挙げつつ説明する。
【００１５】
図１は本発明の筒状容器を縦方向に分断する仮想線上ｘ−ｘに沿わせて左右の半殻状
部材に分割し、容器Ａと容器Ｂとに開いた図である。各容器Ａ，Ｂの内側に有る溝E１，
Ｅ２は仕切り部材Cを脱着できる様に取り付ける為のものである。左右に開いた容器の片
側Ａに剛性の有る網状の仕切り部材Ｃのフランジ部Ｃ１を溝E１に圧入状態に固定できる
ように嵌入し、塊状の球部材Ｄを転動可能な状態に内包して留まる部分１（泡立て室）と
球部材Ｄが移動できない部分２（泡溜め室）に分ける。各容器Ａ，Ｂを閉じて筒状容器の
形態で使用する時、仕切り部材Ｃのフランジ部Ｃ１が両方の容器Ａ，Ｂ間を全域に亘って
横断する様に溝Ｅ１，Ｅ２に嵌入される。片側の容器Bの溝E２は容器Aの溝E１より幅
を少し広くしてあり、各容器Ａ，Ｂを開いた時、網状の仕切り部材Cが容器A側に残る様
になる。この仕切り部材Ｃの止め構成により塊状の球部材Ｄを内包して留まる構成を維持
して、球部材Ｄの不測な脱落等を阻止しながら泡立てした泡を使用することができる。ま
た、各容器Ａ，Ｂを開いた状態で、洗浄する時には仕切り部材Ｃを容器Aより取り外す事
ができる。また容器両端が椀状である為に手で掬い易くなり、図３の２点鎖線Gで示した
容器中央部にくびれを持たす事で使用時の滑りを防止する事ができる。
【００１６】
図２は本容器を閉じた状態を上から見た図である。Ｆは容器Ａと容器Ｂを繋ぐヒンジ部
である。
【００１７】
図３は図2のａ−ａで容器を切断した時の容器の内部を示した図である。球部材Dは容
器を閉じて使用する時ネット状の仕切り部材Cと容器内１の部分を転動する。
【００１８】
図４は本発明の容器を図２のｂ−ｂで切断した断面図である。容器を閉じた状態の時仕
切り部材が容器Ａと容器Ｂの間を横断する。
【００１９】
図３と図４の図面中の２点鎖線Gは本発明の容器の中央部にくびれを持たせた時の形を
示す。
【００２０】
本発明の実施例は上記に説明したものであるが、これらの実施例の技術思想を逸脱しない範囲で改良することが可能であり、上記の実施例構造に限定されるものではない。例えば、本発明の実施例では、筒状容器を縦方向に分断する仮想線上ｘ−ｘに沿わせて左右の半殻状部材に分割し、容器Ａと容器Ｂとを横方向に開閉したもので説明したが、容器Ａと容器Ｂとを分離する構成にしても良い。また、それぞれの材質は樹脂製、金属製等からなる剛性の有る部材で初期形状を維持できるもので構成されていれば良く、初期形状に復元できるものであれば特に材質の変形、硬軟は問わないものである。また、仕切り部材Ｃは容器Ａと容器Ｂとの全域に亘って横断するように様に配置されておればよく、これは塊状の球部材Ｄを転動可能な状態に内包して留まる構成にしてあれば良いものである。また、仕切り部材Ｃは半球形の突出端部が閉じているもので説明されているが、図５の様に内在する球部材の直径よりも小さい直径の孔隙のある仕切り部材であっても良い。
【００２１】
図６の図で示した様に塊状の球部材の表面が多面体や凹凸状でも効果が有る。また塊状
の球部材の材質が石鹸や洗剤で作っても泡を立てる効果が有り、その場合石鹸を無駄無く
使用する事ができる。
【実施例】
【００２２】
本発明の石鹸泡立て器の使用について説明をする。前記の泡立て器を開いて、適量の洗顔料又は石鹸を仕切り部に付けて、お湯又は水を適量容器内に入れて容器を閉じて良く振る、この時球部材と仕切り部材の有る部分（泡立て室）を下にして振る様にすると、泡立て室で出来る細かな泡は軽い為上方に上がって球部材の移動出来ない部分（泡溜め室）に集まり、効率良く泡溜め室に集める事が出来る。又洗顔料や石鹸が充分にお湯や水と攪拌され、泡の密度が高まると泡立て室内で球部材の移動が困難となり、音、掌の感触が変化し泡の完成が実感できる。又、容器に透過性を持たす事で視覚的にも泡の完成を確認する事が出来る。この様にできた泡は使用時に容器内に有る為洗顔時にも水流に流されず、流出を防止できる。使用後は容器の洗浄が簡単で各部材が水分を吸収しづらく、乾燥が容易である。
【産業上の利用可能性】
【００２３】
容器内で攪拌する泡立て方法は各種洗顔料と香料等の混合など新たな洗顔剤の創出が期待できる。又、全ての石鹸が使用できる為、デリケートな乳幼児や敏感肌の方の需要が期待できる。
【図面の簡単な説明】
【００２４】
【図１】本発明の実施形態を示す石鹸泡立て器の図
【図２】同泡立て器を閉じた状態の図
【図３】同泡立て器図２のａ−ａの断面図
【図４】同泡立て器図２のｂ−ｂの断面図
【図５】先端が閉じていない形状の仕切りの図
【図６】表面に凹凸のある球部材の図
【図７】特許文献３を示す図面
【図８】特許文献１を示す図面
【図９】特許文献２を示す図面
【符号の説明】
【００２５】
A  開いた状態の容器の片側
B  開いた状態の容器Aのもう一方の容器
C  網状の仕切り部材
C1仕切り部材のフランジ部
D  球部材
E１容器A側の溝
E2容器B側の溝
F  ヒンジ部
G  容器のくびれ
１  球部材が留まる部分
２  球部材が移動できない部分  
a-a 断面線
b-b断面線
x-x仮想線
【図１】
2006346351.tif 000003
【図２】
2006346351.tif 000004
【図３】
2006346351.tif 000005
【図４】
2006346351.tif 000006
【図５】
2006346351.tif 000007
【図６】
2006346351.tif 000008
【図７】
2006346351.tif 000009
【図８】
2006346351.tif 000010
【図９】
2006346351.tif 000011